(57)【要約】      （修正有）【課題】低消耗エネルギー、低騒音及び無摩損の機能を達成することができる、非接触式の輪式伝動装置の提供。【解決手段】回転輪面に等分に複数の強力磁石を配設し、二つの回転輪を未接触の距離まで接近させた時に、二つの回転輪輪面に設けた異なる極の相互に対応する磁石の発生する相互吸引力により相互伝動を行う。【選択図】図１
0003106621.tif 000002
【実用新案登録請求の範囲】
【請求項１】
回転輪の輪面に等分に複数の溝が設けられ、並びに各溝に強力磁石が設けられ、回転輪がモータの回転軸及び駆動される伝動機構の軸に設けられる時、二つの回転輪が未接触のある距離に接近すると、二つの回転輪の輪面に設けられて異なる極を呈する相互に対応する強力磁石の発生する相互吸引力により相互伝動を達成することを特徴とする、非接触式の輪式伝動装置。
【請求項２】
請求項１記載の非接触式の輪式伝動装置において、回転輪の外側が保護層で被覆又はコーティングされて水気防止、錆防止、及び汚れ防止されたことを特徴とする、非接触式の輪式伝動装置。
【請求項３】
請求項１記載の非接触式の輪式伝動装置において、回転輪に設けられた溝及び強力磁石が相互に対応する台形とされて強力磁石の脱落が防止されたことを特徴とする、非接触式の輪式伝動装置。
【請求項４】
回転輪の輪側面に等分に複数の溝が設けられ、並びに各溝に強力磁石が嵌め込まれ、二つの回転輪が未接触のある距離に接近した時に、二つの回転輪の輪側面に設けられた異なる極を呈する相互に対応する強力磁石が発生する相互吸引力により、相互伝動を達成することを特徴とする、非接触式の輪式伝動装置。
【請求項５】
請求項４記載の非接触式の輪式伝動装置において、回転輪の外側が保護層で被覆又はコーティングされて水気防止、錆防止、及び汚れ防止されたことを特徴とする、非接触式の輪式伝動装置。
【請求項６】
請求項４記載の非接触式の輪式伝動装置において、回転輪に設けられた溝及び強力磁石が相互に対応する台形とされて強力磁石の脱落が防止されたことを特徴とする、非接触式の輪式伝動装置。
【考案の詳細な説明】
【技術分野】
【０００１】
本考案は非接触式の輪式伝動装置に関する。
【背景技術】
【０００２】
歯車４は、図８、９に示される新たなタイプにより各種工業の進歩発展を押し進め、歯車４の応用は精密機構から大きくは重型機械までに及び運転の目的を達成させている。但し歯車４の伝動は二つの歯車４間のピーク４１と歯溝４２の噛み合いにより相互伝動の目的を達成するため、歯車４の設計はその加工の精密度のほか、その材料強度及び耐磨耗度もまた主要な考慮の因子である。このため、伝統的な歯車４はその用途、積載力等の因子により材料選択及び加工等の一連の複雑な生産プロセスを生じ、このため伝統的な歯車４は生産コストが比較的高くなる問題がある。
【０００３】
さらに、伝統的は歯車４は接触性伝動に属するため、高速回転下で相当な程度の摩損及び騒音を発生し、且つ伝動中に摩擦により高熱を発生する。このため、伝統的な歯車４はクリーンルームや恒温室及び燃えやすく危険な物品の生産場所では使用できない。
【０００４】
例えば現在使用されている分離式クーラーは、主要な圧縮機及び冷却機が室外に置かれてはいるが、室内機内にもモータを設けてファンの羽根を駆動して冷気を吹き出す必要があり、モータがある時間運転すると高熱を発生し、このため室内の冷房効果がその影響を受ける。
【考案の開示】
【考案が解決しようとする課題】
【０００５】
前述のような周知の技術の問題を解決するため、本考案では回転輪の輪面に複数の強力磁石を等分配設し、二つの回転輪を未接触の距離まで接近させる時に二つの回転輪の輪面に設けた異なる極の相互に対応する強力磁石に相互吸引作用を発生させ、この特性により相互伝動の目的を達成し、低消耗エネルギー、低騒音及び無摩損の機能を達成することを目的としている。
【０００６】
本考案の次の目的は、接触なしで二つの回転輪の輪面に設けた異なる極の相互に対応する強力磁石の発生する相互吸引作用により相互伝動の特性を達成し、これにより遠隔物伝動を達成することにある。
【課題を解決するための手段】
【０００７】
請求項１の考案は、回転輪の輪面に等分に複数の溝が設けられ、並びに各溝に強力磁石が設けられ、回転輪がモータの回転軸及び駆動される伝動機構の軸に設けられる時、二つの回転輪が未接触のある距離に接近すると、二つの回転輪の輪面に設けられて異なる極を呈する相互に対応する強力磁石の発生する相互吸引力により相互伝動を達成することを特徴とする、非接触式の輪式伝動装置としている。
請求項２の考案は、請求項１記載の非接触式の輪式伝動装置において、回転輪の外側が保護層で被覆又はコーティングされて水気防止、錆防止、及び汚れ防止されたことを特徴とする、非接触式の輪式伝動装置としている。
請求項３の考案は、請求項１記載の非接触式の輪式伝動装置において、回転輪に設けられた溝及び強力磁石が相互に対応する台形とされて強力磁石の脱落が防止されたことを特徴とする、非接触式の輪式伝動装置としている。
請求項４の考案は、回転輪の輪側面に等分に複数の溝が設けられ、並びに各溝に強力磁石が嵌め込まれ、二つの回転輪が未接触のある距離に接近した時に、二つの回転輪の輪側面に設けられた異なる極を呈する相互に対応する強力磁石が発生する相互吸引力により、相互伝動を達成することを特徴とする、非接触式の輪式伝動装置としている。
請求項５の考案は、請求項４記載の非接触式の輪式伝動装置において、回転輪の外側が保護層で被覆又はコーティングされて水気防止、錆防止、及び汚れ防止されたことを特徴とする、非接触式の輪式伝動装置としている。
請求項６の考案は、請求項４記載の非接触式の輪式伝動装置において、回転輪に設けられた溝及び強力磁石が相互に対応する台形とされて強力磁石の脱落が防止されたことを特徴とする、非接触式の輪式伝動装置としている。
【考案の効果】
【０００８】
本考案では回転輪の輪面に複数の強力磁石を等分配設し、二つの回転輪を未接触の距離まで接近させる時に二つの回転輪の輪面に設けた異なる極の相互に対応する強力磁石に相互吸引作用を発生させ、この特性により相互伝動の目的を達成し、低消耗エネルギー、低騒音及び無摩損の機能を達成し、周知の技術の問題を解決している。
【考案を実施するための最良の形態】
【０００９】
図１、２及び図３に示されるように、本考案は非接触式の輪式伝動装置を提供し、それは、回転輪１の輪面に等分に複数の溝１１が設けられ、並びに各溝１１に強力磁石１２が設けられている。このような回転輪１がモータ２の回転軸及び駆動される伝動機構の軸１１１に設けられる時、二つの回転輪１が未接触のある距離に接近すると、二つの回転輪１の輪面に設けられて異なる極を呈する相互に対応する強力磁石１２の発生する相互吸引力により相互伝動の目的を達成でき、低消耗エネルギー、低騒音及び無摩損の効果を達成できる。且つこのような非接触式の伝動は、異なる極の相互に対応する強力磁石１２の発生する相互吸引力により相互伝動の特性を発生するため、二つの回転輪１の間をガラス、非導磁板体等の中間物３で隔ててもその伝動に影響が生じず、このため運転により発熱しうるモータを室外に隔離したり或いは独立した空間に置くことができ、二つの回転輪１の間をガラス、非導磁板体等の中間物３で隔てても正常に伝動可能である。ゆえに熱源を隔離でき、ゆえに広くクリールーム、恒温室及び燃えやすく危険な物品の生産場所でも使用できる。また分離式クーラーの室内機に使用して室内機のモータをガラス窓の外或いは独立空間に隔離してファンの羽根を駆動して冷気を吹き出すのに使用でき、且つ必要により回転輪１の外側を一層の保護層１５で被覆（コーティング）すれば、水気防止、錆防止、及び汚れ防止の効果を達成できる（図４参照）。
【００１０】
さらに図５、６、及び図７に示されるのは本考案の第２実施例であり、それによると、回転輪１の輪側面に等分に複数の溝１３が設けられ、並びに各溝１３に強力磁石１４が嵌め込まれ、二つの回転輪１が未接触のある距離に接近した時に、二つの回転輪１の輪側面に設けられた異なる極を呈する相互に対応する強力磁石１４が発生する相互吸引力により、相互伝動の目的を達成し、低消耗エネルギー、低騒音及び無摩損の効果を有し、且つ同様に二つの回転輪１の間をガラス、非導磁板体等の中間物３で隔ててもその伝動に影響が生じないものとされている。
【００１１】
前述の回転輪１に設けられた溝１１、１３及び強力磁石１２、１４はいずれも相互に対応する台形とされ、強力磁石１２、１４の脱落が防止されるが、接着剤により強力磁石１２、１４を接着することも可能である。
【図面の簡単な説明】
【００１２】
【図１】本考案の実施例の立体図である。
【図２】本考案の中間物で二面を隔てて伝動を行なう実施例の立体図である。
【図３】本考案の中間物で二面を隔てて伝動を行なう実施例の断面図である。
【図４】本考案の回転輪外を保護層で被覆（コーティング）した実施例の断面図である。
【図５】本考案の回転輪の側面に等分に複数の強力磁石を設けた実施例の立体図である。
【図６】本考案の回転輪の側面に等分に複数の強力磁石を設けた実施例の断面図である。
【図７】本考案の回転輪の側面に等分に複数の強力磁石を設けた実施例の端面断面図である。
【図８】周知の歯車の立体図である。
【図９】周知の歯車の断面図である。
【符号の説明】
【００１３】
１  回転輪
１１、１３  溝
１１１  軸
１２、１４  強力磁石
１５  保護層
２  モータ
３  中間物
４  歯車
４１  ピーク
４２  歯溝
【図１】
0003106621.tif 000003
【図２】
0003106621.tif 000004
【図３】
0003106621.tif 000005
【図４】
0003106621.tif 000006
【図５】
0003106621.tif 000007
【図６】
0003106621.tif 000008
【図７】
0003106621.tif 000009
【図８】
0003106621.tif 000010
【図９】
0003106621.tif 000011